(57)【要約】【課題】蓋付きのダストボックスにおいて、ゴミ投入口を大きくして利便性を向上させながら、蓋の取付強度を十分に確保できるようにする。【解決手段】ダストボックス１は、ゴミ投入口２が形成されたダストボックス本体３と、ゴミ投入口２を覆うように配置される蓋４と、ダストボックス本体３に取り付けられ、蓋４を回動可能に支持するヒンジ５、５とを備えている。ダストボックス本体３には、補強部材２０が設けられている。各ヒンジ５には、補強部材２０に固定される固定部が設けられている。【選択図】図１
2009227461.tif 000002
【特許請求の範囲】
【請求項１】
ゴミ投入口が形成されたダストボックス本体と、
上記ゴミ投入口を覆うように配置される蓋と、
上記ダストボックス本体に取り付けられ、上記蓋を回動可能に支持する支持部材とを備え、
上記ダストボックス本体には、補強部材が設けられ、
上記支持部材には、上記補強部材に固定される固定部が設けられていることを特徴とするダストボックス。
【請求項２】
請求項１に記載のダストボックスにおいて、
補強部材は、ダストボックス本体のゴミ投入口周縁部に沿って延びるように形成され、
支持部材は、上記ダストボックス本体のゴミ投入口周縁部に取り付けられていることを特徴とするダストボックス。
【請求項３】
請求項１または２に記載のダストボックスにおいて、
補強部材は、棒状に形成され、
支持部材の固定部は、上記補強部材が貫通する貫通孔を有していることを特徴とするダストボックス。
【発明の詳細な説明】
【技術分野】
【０００１】
本発明は、蓋付きのダストボックスに関する。
【背景技術】
【０００２】
従来より、この種のダストボックスとして、ゴミ投入口が形成されたダストボックス本体と、ゴミ投入口を開閉する蓋とを備えたものが知られている（例えば、特許文献１参照）。特許文献１のダストボックスの蓋は複数の板材で構成され、これら板材はピンにより互いに回動可能に連結されている。さらに、これら板材のうちの１枚がダストボックス本体のゴミ投入口周縁部にピンにより回動可能に連結されている。そして、蓋を開くときには、板材をピンの軸線周りに回動させて折り畳むように配置してから、ゴミ投入口の周縁部に保持させるようにしている。
【特許文献１】特開２００５−２３９３９５号公報
【発明の開示】
【発明が解決しようとする課題】
【０００３】
ところで、ゴミの投入し易さを考慮した場合には、ゴミ投入口は大きい方が望ましい。しかしながら、ゴミ投入口が大きいと、蓋が大型化して重くなってしまう。蓋が重いと、ダストボックス本体への蓋の取付強度を十分に確保するのが困難になる。
【０００４】
本発明は斯かる点に鑑みてなされたものであり、その目的とするところは、ゴミ投入口を大きくして利便性を向上させる場合に、蓋の取付強度を十分に確保できるようにすることにある。
【課題を解決するための手段】
【０００５】
上記目的を達成するために、第１の発明では、ゴミ投入口が形成されたダストボックス本体と、上記ゴミ投入口を覆うように配置される蓋と、上記ダストボックス本体に取り付けられ、上記蓋を回動可能に支持する支持部材とを備え、上記ダストボックス本体には、補強部材が設けられ、上記支持部材には、上記補強部材に固定される固定部が設けられている構成とする。
【０００６】
第２の発明では、第１の発明において、補強部材は、ダストボックス本体のゴミ投入口周縁部に沿って延びるように形成され、支持部材は、上記ダストボックス本体のゴミ投入口周縁部に取り付けられている構成とする。
【０００７】
第３の発明では、第１または２の発明において、補強部材は、棒状に形成され、支持部材の固定部は、上記補強部材が貫通する貫通孔を有している構成とする。
【発明の効果】
【０００８】
第１の発明によれば、蓋を支持する支持部材がダストボックス本体に取り付けられた状態で、ダストボックス本体を補強する補強部材にも固定されることになるので、支持部材の取付強度を十分に確保することができる。
【０００９】
第２の発明によれば、ダストボックス本体のゴミ投入口周縁部と補強部材とを支持部材により連結することができる。これにより、支持部材を利用してダストボックス本体のゴミ投入口周縁部を補強することができる。
【００１０】
第３の発明によれば、支持部材の固定部が補強部材から外れにくくなるので、支持部材の取付強度をより一層高めることができる。
【発明を実施するための最良の形態】
【００１１】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００１２】
図１は、本発明の実施形態に係るダストボックス１を示すものである。このダストボックス１は、上方にゴミ投入口２が形成されたダストボックス本体３と、ゴミ投入口２を覆うように配置される蓋４（図１では開いた状態を示す）と、蓋４を回動可能に支持する一対のヒンジ５、５とを備えている。ゴミ投入口２は、ダストボックス本体３の前側から上部全体に亘る大きなものである。
【００１３】
ダストボックス本体３は、図２や図３に示すように、底板１０と、手前側に位置する前板１１と、奥側に位置する上部及び下部後板１２、１３と、向かって左側に位置する左側板１４と、右側に位置する右側板１５とを組み合わせて構成されている。これら底板１０、前板１１、上部後板１２、下部後板１３、左側板１４及び右側板１５は、樹脂材を周知のブロー成形法で成形してなるものであり、中空構造となっている。また、これらは、例えばネジ等（図示せず）を用いて一体化されている。
【００１４】
底板１０は、左右方向に長い矩形状に形成されている。前板１１は、底板１０の前縁部に取り付けられ、前縁部から上方へ延びるように形成されている。下部後板１３は、底板１０の後縁部に取り付けられ、底板１０の後縁部から上方へ向けて前板１１と略平行に延びるように形成されている。図３に示すように、この下部後板１３と前板１１とは、略同じ形状とされている。上部後板１２は、下部後板１３の上縁部から上方へ向けて延び、上側へ行くほど前方に位置するように傾斜している。図１に示すように、上部後板１２の上縁部には、ヒンジ５が取り付けられる固定側取付部１２ａが左右方向に間隔をあけて２つ設けられている。図４〜図６にも示すように、各固定側取付部１２ａは、前後方向に延びる板状に形成されている。各固定側取付部１２ａには、上下方向に延びる一対のネジ孔１２ｂ（一方のみ図５に示す）が左右方向に間隔をあけて形成されている。これらネジ孔１２ｂにヒンジ５の固定側を取り付けるためのネジ１８が螺合するようになっている。
【００１５】
左側板１４は、底板１０の左縁部に取り付けられ、左縁部から上方へ延びるように形成されている。左側板１４の下半部には、前板１１及び下部後板１３の左縁部が固定されている。左側板１４の前板１１よりも上側の前縁は、上側へ行くほど後方に位置するように傾斜している。また、左側板１４の下部後板１３よりも上側の後縁は、上部後板１２の傾斜角度と同じだけ傾斜している。この左側板１４の上側の後縁には、上部後板１２の左縁部が固定されている。このように左側板１４の上半部は、上側へ行くほど前後方向の寸法が短くなっている。また、左側板１４の上部は、上部後板１２の上縁部よりも上方に突出している。右側板１５は、左側板１４と対称形状である。従って、ゴミ投入口２の周縁部は、前板１１の上縁部と、左右両側板１４、１５の傾斜した前縁部及び上縁部と、上部後板１２の上縁部とで構成されている。
【００１６】
ダストボックス本体３の内部には、上部補強部材２０と、前側及び後側補強部材２１、２２とが設けられている。これら補強部材２０〜２２は、金属製の中空パイプで構成されている。
【００１７】
上部補強部材２０は、上部後板１２の上縁部から前方に離れて配置され、上部後板１３の内面に沿うように左右方向に略水平に延びている。上部補強部材２０の右部には、右端面に開口して軸方向に延びるネジ孔（図示せず）が形成されている。また、上側補強部材２０の左部にも右部と同様なネジ孔（図示せず）が形成されている。一方、左側板１４及び右側板１５には、上部補強部材２０のネジ孔に対応してネジ挿通孔（図示せず）がそれぞれ形成されている。これらネジ挿通孔に挿通したネジ２３（図１に示す）を上部補強部材２０のネジ孔に螺合させることで、左側板及び右側板１４、１５が、上部補強部材２０に固定されて上部補強部材２０を介して連結される。これにより、ダストボックス本体３が補強された状態となる。
【００１８】
前側補強部材２１及び後側補強部材２２は上部補強部材２０と同様に構成されている。左側板１４の前側と右側板１５の前側とが、前側補強部材２１を介して連結された状態となり、また、左側板１４の後側と右側板１５の後側とが、後側補強部材２２を介して連結された状態となっている。また、下部後板１３の内面には、後側補強部材２２に対応する部位に膨出部１３ａが形成されている。この膨出部１３ａには、後側補強部材２２が貫通する貫通孔１３ｂが形成されている。貫通孔１３ｂは、後側補強部材２２が嵌るように形成されており、下部後板１３が後側補強部材２２に固定された状態となる。
【００１９】
蓋４は、ダストボックス本体３のゴミ投入口２の全体を覆う１枚の板材で構成されており、図３に仮想線で示す閉状態で、上部後板１２の上縁部から上方へ延びた後、左右両側板１４、１５の上縁部に沿って前方へ延びて両側板１４、１５の前側の傾斜縁部に沿って前板１１の上縁部まで延びている。蓋４は、樹脂材を周知のブロー成形法で成形してなるものであり、中空構造となっている。図１及び図２に示すように、蓋４の後側の下縁部がヒンジ５、５を介してダストボックス本体３に取り付けられている。
【００２０】
蓋４の後側の下縁部には、２つの可動側取付部４ａ、４ａが左右方向に間隔をあけて形成されている。可動側取付部４ａは、図５に示すように、蓋４が閉状態にあるときに固定側取付部１２ａに対向する板状をなしている。可動側取付部４ａには、３つのネジ孔４ｂ（１つのみ図５に示す）が形成されている。これらネジ孔４ｂにヒンジ５の可動側を取り付けるためのネジ２４が螺合するようになっている。
【００２１】
図４に示すように、ヒンジ５は、ダストボックス本体３に取り付けられる固定側板部３０と、蓋４に取り付けられる可動側板部３１と、これら板部３０、３１を回動可能に連結する軸３２とを有している。固定側板部３０は、ダストボックス本体３の固定側取付部１２ａに沿って延びるように形成されている。固定側板部３０の左右両側には、図５に示すように、固定側取付部１２ａのネジ孔１２ｂに対応して２つのネジ挿通孔３０ａ（図５には１つのみ示す）が形成されている。これらネジ挿通孔３０ａに挿通したネジ１８を上部後板１２のネジ孔１２ｂに螺合させることで、固定側板部３０が固定側取付部１２ａに締結固定されるようになっている。ネジ孔１２ｂには、ブロー成形時にナットをインサート成形しておいてもよいし、ブロー成形後にダッチインサート等を圧入してもよい。
【００２２】
また、図４に示すように、固定側板部３０の左右方向略中央部には、支軸部３０ｂが上方に突出するように形成されている。支軸部３０ｂには、軸３２が挿通する軸挿通孔３０ｃが左右方向に略水平に延びるように形成されている。
【００２３】
また、固定側板部３０には、上部補強部材２０に固定される固定部３０ｄが設けられている。固定部３０ｄは、固定側取付部１２ａよりもダストボックス本体３の内方へ突出している。固定部３０ｄには、上部補強部材２０が貫通する貫通孔３０ｅが形成されている。貫通孔３０ｅの径は、上部補強部材２０の外径と略同じか若干小さめに設定されており、上部補強部材２０が貫通孔３０ｅに嵌るようになっている。この固定側板部３０により、上部後板１２の上縁部が上部補強部材２０に連結されることになる。
【００２４】
可動側板部３１は、蓋４の可動側取付部４ａに沿って延びるように形成されている。可動側板部３１には、図５に示すように、可動側取付部４ａのネジ孔４ｂに対応して３つのネジ挿通孔３１ａ（図５には１つのみ示す）が形成されている。図４に示すように、これらネジ挿通孔３１ａに挿通したネジ２４をネジ孔３１ａに螺合させることで、可動側板部３１が可動側取付部４ａに締結固定されるようになっている。可動側板部３１の左右方向略中央部には、支軸部３１ｂが下方に突出するように形成されている。支軸部３１ｂには、図５に示すように、上記軸挿通孔３０ｃと同様に延びる軸挿通孔３１ｃが形成されている。これら軸挿通孔３０ｃ、３１ｃに挿通された軸３２は、軸挿通孔３０ｃ、３１ｃから抜けないようになっている。
【００２５】
上記のように構成されたダストボックス１では、通常時には、図３に仮想線で示すように、蓋４を下方へ回動させて閉状態としておく。一方、ゴミを投入する場合には、蓋４の前側を持ち上げて、蓋４をヒンジ５の軸３２周りに上方へ回動させる。これにより、図１に示すように、ゴミ投入口２が開放される。このとき、ヒンジ５の固定側板部３０が、ダストボックス本体３の上部後板１２に取り付けられた状態で、上部補強部材２０にも固定されているので、取付強度が十分に確保され、蓋４のぐらつきやヒンジ５の外れを抑制することができる。
【００２６】
また、ダストボックス本体３のゴミ投入口２周縁部と、上部補強部材２０とをヒンジ５により連結することができる。これにより、ヒンジ５を利用してダストボックス本体３のゴミ投入口２周縁部を補強することができる。
【００２７】
また、ヒンジ５の固定部３０ｄの貫通孔３０ｅに上部補強部材２０を貫通させるようにしたので、固定部３０ｄが上部補強部材２０から外れにくくなり、ヒンジ５の取付強度をより一層高めることができる。
【００２８】
尚、この実施形態では、ヒンジ５の固定部３０ｄに上部補強部材２０を貫通させるようにしたが、これに限らず、ヒンジ５の固定側板部３０に、固定部としての引っ掛け部を設け、この引っ掛け部を上部補強部材２０に引っ掛けるようにしてもよい。また、ヒンジ５の固定部３０ｄは、上部補強部材２０にネジ留めするようにしてもよいし、接着するようにしてもよい。
【００２９】
また、図示しないが、上部後板１２内面の固定部３０ｄの近傍に膨出部１３ａと同様な膨出部を設け、上部補強部材２０をその膨出部の貫通孔に通すようにしてもよい。これにより、ヒンジ５周りが一層強固になる。この上部後板１２に設ける膨出部の数は任意に設定することができる。
【００３０】
また、ダストボックス本体３は、一体成形品であってもよい。
【００３１】
また、上部補強部材２０の形状は、棒状に限られるものではなく、任意の形状にすることができる。
【産業上の利用可能性】
【００３２】
以上説明したように、本発明に係るダストボックスは、例えば、上下方向に回動する蓋を有するものに適している。
【図面の簡単な説明】
【００３３】
【図１】実施形態に係るダストボックスの蓋が開いた状態の斜視図である。
【図２】ダストボックスの蓋が開いた状態の正面図である。
【図３】ダストボックスの蓋が開いた状態の右側面図である。
【図４】ダストボックスのヒンジ近傍を拡大して示す斜視図である。
【図５】図４のV−V線断面図である。
【図６】図４のVI−VI線断面図である。
【符号の説明】
【００３４】
１            ダストボックス
２            ゴミ投入口
３            ダストボックス本体
４            蓋
５            ヒンジ（支持部材）
２０          上部補強部材
３０ｄ        固定部
３０ｅ        貫通孔
【図１】
2009227461.tif 000003
【図２】
2009227461.tif 000004
【図３】
2009227461.tif 000005
【図４】
2009227461.tif 000006
【図５】
2009227461.tif 000007
【図６】
2009227461.tif 000008